(57)【要約】【課題】  より良好な吸水性を確保でき、それにより、より良好な演奏性を確保できる鍵盤楽器の鍵を提供する。【解決手段】  電子ピアノ２の鍵１は、ＡＢＳ樹脂で構成された鍵本体部１０と、この鍵本体部１０の上面に接着された薄板状の押鍵部１１とを備えている。この押鍵部１１は、ＡＢＳ樹脂で構成されたベース１１ｂと、このベース１１ｂ内に分散した状態で添加された親水性ポリマー１１ａとを備えている。電子ピアノ２の演奏時、演奏者の指先に生じた汗は、親水性ポリマー１１ａにより吸収される。【選択図】  図１
2005249955.tif 000002
【特許請求の範囲】
【請求項１】
鍵本体部と、
当該鍵本体部の上部に設けられ、親水性ポリマーを添加した第１の合成樹脂で構成され、押鍵するための押鍵部と、
を備えることを特徴とする鍵盤楽器の鍵。
【請求項２】
前記第１の合成樹脂は、アクリロニトリルブタジエンスチレン樹脂、アクリロニトリルスチレン樹脂およびアクリル樹脂の１つであることを特徴とする請求項１に記載の鍵盤楽器の鍵。
【請求項３】
前記鍵本体部は、前記親水性ポリマーを添加していない第２の合成樹脂および木質の一方で構成され、前記押鍵部は、前記鍵本体部に接着されていることを特徴とする請求項１または２に記載の鍵盤楽器の鍵。
【請求項４】
前記鍵本体部は、前記親水性ポリマーを添加した前記第１の合成樹脂および前記親水性ポリマーを添加していない第２の合成樹脂の一方で構成され、前記押鍵部と一体成形されていることを特徴とする請求項１または２に記載の鍵盤楽器の鍵。
【発明の詳細な説明】
【技術分野】
【０００１】
本発明は、合成樹脂を用いながらも、指先が演奏中に滑りにくく、良好な演奏性を有する鍵盤楽器の鍵に関する。
【背景技術】
【０００２】
従来、鍵盤楽器の鍵として、例えば特許文献１に記載されたものが知られている。この鍵は、水酸基を含有しないアクリレート樹脂で構成され、その内部には、多数の多孔性粒子が分散した状態で添加されている。これらの多孔性粒子は、ハイドロキシアパタイトなどで構成され、その一部が鍵の表面に露出している。鍵盤楽器の演奏中、演奏者の指先の汗は、多孔性粒子の気孔によって物理的に捕捉・吸収され、その結果、アクリレート樹脂のみで構成された鍵と比べて、指先が滑りにくくなり、良好な演奏性が確保される。
【０００３】
【特許文献１】特開平３−２８７１９８号公報
【発明の開示】
【発明が解決しようとする課題】
【０００４】
上記従来の鍵盤楽器の鍵によれば、ハイドロキシアパタイトなどの多孔性粒子の気孔により、演奏者の指先の汗を物理的に捕捉・吸収するものであるので、その吸水能力が、天然象牙を押鍵面に貼り付けた鍵と比べるとかなり低い。具体的には、天然象牙を貼り付けた鍵の吸水率が十数〜２０ｗｔ％程度であるのに対して、従来の鍵の吸水率は１．５ｗｔ％に過ぎない（特許文献１の第１表のデータ）。そのため、天然象牙を貼り付けた鍵と比べると、指先が滑りやすいことで、演奏性がよくないという問題がある。
【０００５】
本発明は、上記課題を解決するためになされたもので、より良好な吸水性を確保でき、それにより、より良好な演奏性を確保できる鍵盤楽器の鍵を提供することを目的とする。
【課題を解決するための手段】
【０００６】
上記目的を達成するために、請求項１に係る鍵盤楽器の鍵は、鍵本体部と、鍵本体部の上部に設けられ、親水性ポリマーを添加した第１の合成樹脂で構成され、押鍵するための押鍵部と、を備えることを特徴とする。
【０００７】
一般に、親水性ポリマーは、その親水基で水分を捕捉・吸収するものであるため、水分を気孔によって物理的に捕捉・吸収する多孔性粒子と比べて、より良好な吸水能力を備えていることが知られている。したがって、この鍵盤楽器の鍵によれば、押鍵部が親水性ポリマーを添加した第１の合成樹脂で構成されているので、多孔性粒子をアクリレート樹脂に添加した従来の鍵と比べて、より良好な吸水性を確保でき、それにより、より良好な演奏性を確保することができる。
【０００８】
請求項２に係る発明は、請求項１に記載の鍵盤楽器の鍵において、第１の合成樹脂は、アクリロニトリルブタジエンスチレン樹脂、アクリロニトリルスチレン樹脂およびアクリル樹脂の１つであることを特徴とする。
【０００９】
この鍵盤楽器の鍵によれば、押鍵部が、アクリロニトリルブタジエンスチレン樹脂、アクリロニトリルスチレン樹脂およびアクリル樹脂の１つで構成されているので、良好な耐久性および加工性を確保でき、さらに、天然象牙を貼り付けた鍵に近い外観を確保することができる。その結果、高い商品性を確保できる。
【００１０】
請求項３に係る発明は、請求項１または２に記載の鍵盤楽器の鍵において、鍵本体部は、親水性ポリマーを添加していない第２の合成樹脂および木質の一方で構成され、押鍵部は、鍵本体部に接着されていることを特徴とする。
【００１１】
この鍵盤楽器の鍵によれば、押鍵部を、鍵本体部と別個の部品として製作することができるので、鍵全体を１種類の合成樹脂の一体成形により製作する場合と比べて、親水性ポリマーの添加量を減らすことができ、その分、製造コストを削減することができる。また、鍵全体を、親水性ポリマーを添加した第１の合成樹脂で構成した場合、その寸法が親水性ポリマーの吸水状態に起因して伸縮することで、加工後の寸法精度を確保するのが難しくなり、その結果、雑音が生じるなどの、品質の低下を招くおそれがある。これに対して、本発明の鍵によれば、押鍵部のみを親水性ポリマーを添加した第１の合成樹脂で構成すればよいので、加工後の鍵本体部の寸法精度すなわち鍵全体の寸法精度を、親水性ポリマーを添加していない合成樹脂で鍵全体を構成した場合とほぼ同等に確保することができ、品質の低下を回避することができる。さらに、鍵本体部を木質で構成した場合には、鍵をアコースティックピアノに適用することができる。
【００１２】
請求項４に係る発明は、請求項１または２に記載の鍵盤楽器の鍵において、鍵本体部は、親水性ポリマーを添加した第１の合成樹脂および親水性ポリマーを添加していない第２の合成樹脂の一方で構成され、押鍵部と一体成形されていることを特徴とする。
【００１３】
この鍵盤楽器の鍵によれば、鍵本体部および押鍵部が一体成形されるので、これらを別個の部品として製作する場合と比べて、工数を減らすことができ、その分、鍵の製作に要する時間を短縮できる。また、鍵本体部が親水性ポリマーを添加していない第２の合成樹脂で構成されている場合には、前述した理由により、鍵全体を、親水性ポリマーを添加した第１の合成樹脂のみで構成した場合と比べて、加工後の鍵本体部の寸法精度すなわち鍵全体の寸法精度を、親水性ポリマーを添加していない合成樹脂で鍵全体を構成した場合とほぼ同等に確保することができ、品質の低下を回避することができる。
【図面の簡単な説明】
【００１４】
【図１】本発明の一実施形態に係る鍵およびこれを適用した電子ピアノの鍵盤部の構成を示す断面図である。
【図２】白鍵の押鍵部および鍵本体部を示す分解斜視図である。
【図３】白鍵の押鍵部の構成を示す断面図である。
【発明を実施するための最良の形態】
【００１５】
以下、図面を参照しながら、本発明の一実施形態に係る鍵盤楽器の鍵について説明する。図１に示すように、本実施形態の鍵は、鍵盤楽器としての電子ピアノ２に適用されたものであり、この電子ピアノ２は、その鍵盤部に、シャーシ３と、シャーシ３に回動自在に支持された白鍵１ａおよび黒鍵（図示せず）からなる多数の鍵１（白鍵１ａを１つのみ図示）と、鍵１ごとに設けられ、シャーシ３に回動自在に支持された多数のハンマー４（１つのみ図示）などを備えている。
【００１６】
シャーシ３は、前後の連結部材５，５などを介して棚板６上に固定されており、その前端部の上面には、２つの下限ストッパ３ａ，３ａが、前後方向に間隔を存して取り付けられている。各下限ストッパ３ａは、鍵１の下方への回動を規制するためのものであり、フェルトで構成されている。また、シャーシ３の前端部の下面には、２つの上限ストッパ３ｂ，３ｂが、下限ストッパ３ａ，３ａに対応する位置にそれぞれ取り付けられている。これらの下限ストッパ３ａ，３ａはそれぞれ、鍵１およびハンマー４の上方への回動を規制するためのものであり、フェルトで構成されている。さらに、シャーシ３の後端寄りの部分には、鍵スイッチ７が鍵１ごとに取り付けられている。
【００１７】
ハンマー４は、その後端寄りの部分がシャーシ３に回動自在に支持され、後端の押圧部４ａが、鍵スイッチ７に上方から対向しているとともに、前端部にウエイト４ｂを有している。このウエイト４ｂにより、ハンマー４は、図中の反時計回りに付勢され、それにより、離鍵状態（図１に示す状態）では、押圧部４ａが、後述する鍵本体部１０のアクチュエータ部１０ｃに常に当接する状態に保持される。
【００１８】
本実施形態の鍵１では、白鍵１ａおよび黒鍵はほぼ同様に構成されているので、以下、白鍵１ａを例にとって説明する。白鍵１ａは、図１，２に示すように、鍵本体部１０と、鍵本体部１０の上面に取り付けられた押鍵部１１とを備えている。鍵本体部１０は、第２の合成樹脂としてのアクリロニトリルブタジエンスチレン樹脂（ＡＢＳ樹脂）の成形品で構成されており、前後方向に延び、後端部には、回動軸１０ａが設けられている。この回動軸１０ａは、左右方向（図中の奥行き方向）に延びるとともに、シャーシ３の軸受部３ｃに回動自在に取り付けられており、それにより、鍵本体部１０は、シャーシ３に回動自在に支持されている。
【００１９】
また、鍵本体部１０には、Ｌ字状のストッパ部１０ｂ，１０ｂおよびアクチュエータ部１０ｃが設けられている。このアクチュエータ部１０ｃには、離鍵状態では、前述したように、ハンマー４の押圧部４ａが下方から当接しており、それにより、ストッパ部１０ｂは、上限ストッパ３ｂに当接した状態に保持される。また、押鍵時には、白鍵１ａが、回動軸１０ａを中心として下限ストッパ３ａに当接する位置まで反時計回りに回動し、アクチュエータ部１０ｃが押圧部４ａを下方に押圧する。これに伴い、ハンマー４が時計回りに回動するとともに、押圧部４ａが鍵スイッチ７を押下し、オン動作させる。その結果、鍵スイッチ７は、発音動作を行うためのオン信号を発音回路部（図示せず）に出力する。
【００２０】
一方、押鍵部１１は、断面Ｌ字状で、上カバー部１１Ａおよび前カバー部１１Ｂを一体に形成したものであり、この上カバー部１１Ａは、鍵本体部１０の上面と同様の平面形状を有し、接着剤（例えば酢酸ビニル系接着剤）を介して、鍵本体部１０の上面に取り付けられている。また、前カバー部１１Ｂは、鍵本体部１０の前面と同様の平面形状を有し、接着剤を介して、鍵本体部１０の前面に取り付けられている。また、図３に示すように、この押鍵部１１は、第１の合成樹脂としてのＡＢＳ樹脂のベース１１ｂと、その内部に分散した状態で添加された多数の粒子状の親水性ポリマー１１ａで構成されている。
【００２１】
この親水性ポリマー１１ａは、その粒径が数百ｎｍ単位のポリオキシエチレン鎖を有する架橋ポリアクリルアミドで構成されており、良好な吸水性を備えている。この親水性ポリマー１１ａは、アクリルアミド、Ｎ−メチロールアクリルアミド、２−ヒドロキシエチルメタクリレートおよびアクリル酸をコモノマーとして用い、ポリ（オキシエチレン）メタクリレートを分散安定剤として用い、さらに、親水性有機溶媒を分散媒として用いた分散重合により生成されたものである。
【００２２】
また、親水性ポリマー１１ａは、押鍵部１１の内部ではベース１１ｂ内にほぼ均一に分散している一方、押鍵部１１の表面側の部分では、その表面に偏在している。これは、押鍵部１１を、親水性ポリマー１１ａをＡＢＳ樹脂の原料に混入させながら成形加工した際、親水性ポリマー１１ａの特性に起因して発生する事象である。
【００２３】
以上のように構成された本実施形態の鍵１によれば、４ｗｔ％程度の吸水率を得られることが実験により確認できた。すなわち、押鍵部１１が親水性ポリマー１１ａを添加したＡＢＳ樹脂で構成されているので、多孔性粒子をアクリレート樹脂に添加した従来の鍵（吸水率１．５ｗｔ％）よりも良好な吸水性を確保することができ、それにより、より良好な演奏性を確保することができる。これは、一般に、親水性ポリマーが、その親水基で水分を捕捉・吸収するものであるため、水分を気孔によって物理的に捕捉・吸収する多孔性粒子と比べて、より良好な吸水能力を備えていることに起因する。これに加えて、本実施形態の鍵１では、前述したように、親水性ポリマー１１ａが、その特性に起因して押鍵部１１の表面側に偏在するように構成されるので、良好な吸水性をより効果的に得ることができる。
【００２４】
また、鍵本体部１０および押鍵部１１がいずれも、ＡＢＳ樹脂で構成されているので、良好な耐久性および加工性を確保でき、さらに、天然象牙を貼り付けた鍵に近い外観を確保することができる。その結果、高い商品性を確保できる。また、押鍵部１１を、鍵本体部１０と別個の部品として製作することができるので、鍵１全体を１種類の合成樹脂の一体成形により製作する場合と比べて、親水性ポリマー１１ａの添加量を減らすことができ、その分、製造コストを削減することができる。
【００２５】
また、鍵１全体を、親水性ポリマー１１ａを添加したＡＢＳ樹脂で構成した場合、その寸法が親水性ポリマー１１ａの吸水状態に起因して伸縮することで、加工後の寸法精度を確保するのが難しくなり、その結果、雑音が生じるなどの、品質の低下を招くおそれがある。これに対して、本実施形態の鍵１によれば、押鍵部１１のみを親水性ポリマー１１ａを添加したＡＢＳ樹脂で構成すればよいので、加工後の鍵本体部１０の寸法精度すなわち鍵１全体の寸法精度を、鍵１全体を親水性ポリマー１１ａを添加していないＡＢＳ樹脂で構成した場合とほぼ同等に確保することができ、品質の低下を回避することができる。
【００２６】
なお、実施形態は、親水性ポリマーとして、ポリオキシエチレン鎖を有する架橋ポリアクリルアミドを用いた例であるが、親水性ポリマーはこれに限らず、主鎖および側鎖に親水基を備えたポリマーであればよい。例えば、親水性ポリマーとして、ポリビニルアルコール/ポリアクリル酸系ポリマーを用いてもよい。
【００２７】
また、実施形態は、本発明を電子ピアノの鍵に適用した例であるが、本発明の鍵はこれに限らず、アコースティックピアノなどの様々な鍵盤楽器に適用可能であることは言うまでもない。
【００２８】
さらに、実施形態は、押鍵部１１のベース１１ｂおよび鍵本体部１０をＡＢＳ樹脂で構成した例であるが、これらをアクリロニトリルスチレン樹脂またはアクリル樹脂で構成してもよい。このようにした場合、ＡＢＳ樹脂を用いた場合と同様に、良好な耐久性および加工性を確保できるとともに、天然象牙を貼り付けた鍵に近い外観を確保することができる。さらに、押鍵部１１のベース１１ｂおよび鍵本体部１０をそれぞれ、ＡＢＳ樹脂、アクリロニトリルスチレン樹脂およびアクリル樹脂のうちの、互いに異なる材質で構成してもよい。
【００２９】
一方、鍵本体部１０を木質で構成してもよい。このようにした場合、鍵１をアコースティックピアノに適用することができる。
【００３０】
また、実施形態は、押鍵部１１および鍵本体部１０を別個の部品とした例であるが、これらを一体成形することにより、鍵１を製作するようにしてもよい。その場合、親水性ポリマーを、押鍵部１１のみに添加してもよく、鍵１全体に添加してもよい。このようにした場合、押鍵部１１および鍵本体部１０を別個の部品として製作する場合と比べて、工数を減らすことができ、その分、鍵１の製作時間を短縮できる。
【符号の説明】
【００３１】
１    鍵
１ａ  白鍵
２    電子ピアノ（鍵盤楽器）
１０    鍵本体部
１１    押鍵部
１１ａ  親水性ポリマー
【図１】
2005249955.tif 000003
【図２】
2005249955.tif 000004
【図３】
2005249955.tif 000005